【手続補正書】
【提出日】平成23年9月14日(2011.9.14)
【手続補正１】
【補正対象書類名】明細書
【補正対象項目名】０００６
【補正方法】変更
【補正の内容】
【０００６】
請求項１に記載の構図選択装置は、予め複数の構図を記録した構図記録手段と、
撮影画像を取得する画像取得手段と、当該画像取得手段によって取得された撮影画像に含まれている注目被写体を検出する被写体検出手段と、当該被写体検出手段により検出された注目被写体の撮影状態を判断する状態判断手段と、前記状態判断手段によって判断された前記注目被写体の撮影状態に基づいて、前記構図記録手段に記録された複数の構図から、所定数の構図を選択する構図選択手段と、前記構図選択手段により表示された所定数の構図から、特定の構図の選択を検出する選択検出手段とを備えることを特徴とする。
【手続補正２】
【補正対象書類名】明細書
【補正対象項目名】０００７
【補正方法】変更
【補正の内容】
【０００７】
請求項２に記載の構図選択装置は、請求項１に記載の構図選択装置であって、前記構図選択手段により選択された所定数の構図を表示手段に表示させるよう制御する第１の表示制御手段を更に備え、前記選択検出手段は、前記第１の表示制御手段の制御により前記表示手段に表示された所定数の構図から、ユーザの操作による前記特定の構図の選択を検出することを特徴とする。
【手続補正３】
【補正対象書類名】明細書
【補正対象項目名】０００８
【補正方法】変更
【補正の内容】
【０００８】
請求項３に記載の構図選択装置は、請求項１又は２に記載の構図選択装置であって、前記画像取得手段によって取得された撮影画像と、前記選択検出手段により選択が検出された特定の構図を表す画像とを重畳させて表示するように前記表示手段を制御する第２の表示制御手段を更に備えることを特徴とする。
【手続補正４】
【補正対象書類名】明細書
【補正対象項目名】０００９
【補正方法】変更
【補正の内容】
【０００９】
請求項４に記載の構図選択装置は、請求項１乃至３のいずれか１項に記載の構図選択装置であって、前記被写体検出手段は複数の注目被写体を検出すると共に、前記状態判断手段は前記複数の注目被写体の撮影状態を夫々判断し、前記構図選択手段は、前記状態判断手段によって夫々判断された複数の注目被写体の撮影状態に基づいて、前記所定数の構図を選択することを特徴とする。
【手続補正５】
【補正対象書類名】明細書
【補正対象項目名】００１０
【補正方法】変更
【補正の内容】
【００１０】
請求項５に記載の構図選択装置は、請求項１乃至４のいずれか１項に記載の構図選択装置であって、前記状態判断手段は、前記注目被写体の撮影状態を、当該注目被写体の前記撮像画像における位置又はサイズのうち少なくとも１つと、当該注目被写体の分類とに基づいて判断することを特徴とする。
【手続補正６】
【補正対象書類名】明細書
【補正対象項目名】００１１
【補正方法】変更
【補正の内容】
【００１１】
請求項６に記載の構図選択装置は、請求項５に記載の構図選択装置であって、前記被写体検出手段が検出する注目被写体の数が複数のとき、前記注目被写体の分類は、空、海、緑地、木、草、人物、顔、建物、車両、道路のうちの少なくとも２つであることを特徴とする。
【手続補正７】
【補正対象書類名】明細書
【補正対象項目名】００１２
【補正方法】変更
【補正の内容】
【００１２】
請求項７に記載の構図選択装置は、請求項５に記載の構図選択装置であって、前記被写体検出手段が検出する注目被写体が人であるとき、前記注目被写体の分類は、人物の性別、年齢層、表情、顔の向き、眼の開閉状態のうちの少なくとも２つであることを特徴とする。
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】変更
【補正の内容】
【００１４】
請求項９に記載の構図選択装置は、請求項１乃至８の何れか１項に記載の構図選択装置であって、前記選択検出手段によって選択が検出された特定の構図を他の構図に変更する変更手段を更に備えることを特徴とする。
【手続補正１０】
【補正対象書類名】明細書
【補正対象項目名】００１５
【補正方法】変更
【補正の内容】
【００１５】
請求項１０に記載の構図選択装置は、請求項８に記載の構図選択装置であって、前記選択検出手段は、前記状態判断手段によって判断された前記注目被写体の撮影状態に基づいて、前記構図選択手段によって選択された所定数の構図から前記撮像画像全体を記録するための構図を選択することを特徴とする。
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】変更
【補正の内容】
【００１７】
請求項１２に記載のプログラムは、予め複数の構図を記録したメモリを有するコンピュ
ータを、撮影画像を取得する画像取得手段、当該画像取得手段によって取得された撮影画像に含まれている注目被写体を検出する被写体検出手段、当該被写体検出手段により検出された注目被写体の撮影状態を判断する状態判断手段、当該状態判断手段によって判断された前記注目被写体の撮影状態に基づいて、前記メモリに記録された複数の構図のから、所定数の構図を選択する構図選択手段、前記構図選択手段により表示された所定数の構図から、特定の構図の選択を検出する選択検出手段として機能させることを特徴とする。
【手続補正１３】
【補正対象書類名】特許請求の範囲
【補正対象項目名】全文
【補正方法】変更
【補正の内容】
【特許請求の範囲】
【請求項１】
予め複数の構図を記録した構図記録手段と、
撮影画像を取得する画像取得手段と、
当該画像取得手段によって取得された撮影画像に含まれている注目被写体を検出する被写体検出手段と、
当該被写体検出手段により検出された注目被写体の撮影状態を判断する状態判断手段と、
前記状態判断手段によって判断された前記注目被写体の撮影状態に基づいて、前記構図記録手段に記録された複数の構図から、所定数の構図を選択する構図選択手段と、
前記構図選択手段により表示された所定数の構図から、特定の構図の選択を検出する選択検出手段と
を備えることを特徴とする構図選択装置。
【請求項２】
前記構図選択手段により選択された所定数の構図を表示手段に表示させるよう制御する第１の表示制御手段を更に備え、
前記選択検出手段は、前記第１の表示制御手段の制御により前記表示手段に表示された所定数の構図から、ユーザの操作による前記特定の構図の選択を検出することを特徴とする請求項１記載の構図選択装置。
【請求項３】
前記画像取得手段によって取得された撮影画像と、前記選択検出手段により選択が検出された特定の構図を表す画像とを重畳させて表示するように前記表示手段を制御する第２の表示制御手段を更に備えることを特徴とする請求項１又は２に記載の構図選択装置。
【請求項４】
前記被写体検出手段は複数の注目被写体を検出すると共に、前記状態判断手段は前記複数の注目被写体の撮影状態を夫々判断し、
前記構図選択手段は、前記状態判断手段によって夫々判断された複数の注目被写体の撮影状態に基づいて、前記所定数の構図を選択することを特徴とする請求項１乃至３のいずれか１項に記載の構図選択装置。
【請求項５】
前記状態判断手段は、前記注目被写体の撮影状態を、当該注目被写体の前記撮像画像における位置又はサイズのうち少なくとも１つと、当該注目被写体の分類とに基づいて判断することを特徴とする請求項１乃至４のいずれか１項に記載の構図選択装置。
【請求項６】
前記被写体検出手段が検出する注目被写体の数が複数のとき、前記注目被写体の分類は、空、海、緑地、木、草、人物、顔、建物、車両、道路のうちの少なくとも２つであることを特徴とする請求項５に記載の構図選択装置。
【請求項７】
前記被写体検出手段が検出する注目被写体が人であるとき、前記注目被写体の分類は、人物の性別、年齢層、表情、顔の向き、眼の開閉状態のうちの少なくとも２つであることを特徴とする請求項５に記載の構図選択装置。
【請求項８】
前記状態判断手段は、前記注目被写体のサイズを、前記撮影画像の面積に対する注目被写体の面積の割合に基づいて判断することを特徴とする請求項５乃至７の何れか１項に記載の構図選択装置。
【請求項９】
ユーザの選択操作に従って、前記選択検出手段によって選択が検出された特定の構図を他の構図に変更する変更手段を更に備えることを特徴とする請求項１乃至８の何れか１項に記載の構図選択装置。
【請求項１０】
前記選択検出手段は、前記状態判断手段によって判断された前記注目被写体の撮影状態に基づいて、前記構図選択手段によって選択された所定数の構図から前記撮像画像全体を記録するための構図を選択することを特徴とする請求項８に記載の構図選択装置。
【請求項１１】
予め複数の構図を記録したメモリを有するコンピュータを、
撮影画像を取得する画像取得手段、
当該画像取得手段によって取得された撮影画像に含まれている注目被写体を検出する被写体検出手段、
当該被写体検出手段により検出された注目被写体の撮影状態を判断する状態判断手段、
当該状態判断手段によって判断された前記注目被写体の撮影状態に基づいて、前記メモリに記録された複数の構図のから、所定数の構図を選択する構図選択手段、
前記構図選択手段により表示された所定数の構図から、特定の構図の選択を検出する選択検出手段
として機能させることを特徴とするプログラム。